(57)【要約】【課題】表示パネルをマトリックス状に配列した大型表示装置において、表示パネルの継ぎ目の幅を短縮することができる表示パネル及びこれを用いた大型表示装置を提供する。【解決手段】横方向の配線１は、前面基板２上に形成されている。配線１の入力部分３は、封止部が形成される領域８を引きまわして、前面基板２の下辺側から引き出されている。ここで、封止部が形成される領域８とは、表示パネルの非表示領域部分であって、封止材で背面基板５と張り合わされている前面基板２上の領域である。下辺側まで引きまわされた入力部３は、背面基板５の下辺側から引き出される。そのため、背面基板５上には、入力部３の一部が形成されており、前面基板２と背面基板５とが貼り合わさることによりスルーホール９を介して電気的に接続する構造となっている。【選択図】        図１
2004177891.tif 000002
【特許請求の範囲】
【請求項１】
第１、第２方向にマトリックス状に配置された画素と、
前記画素に接続された第１方向の第１配線と、
前記画素に接続された第２方向の第２配線とを備える表示パネルであって、
前記第１配線の第１入力部分は、前記表示パネルの封止部が形成される領域を引きまわして、前記第２配線の第２入力部分が引き出される前記表示パネルの辺から引き出されることを特徴とする表示パネル。
【請求項２】
請求項１記載の表示パネルであって、
前記第１配線は、前記表示パネルを構成する一方の基板上に形成され、
前記第２配線は、前記表示パネルを構成する他方の基板上に形成されることを特徴とする表示パネル。
【請求項３】
請求項１又は請求項２記載の表示パネルであって、
前記第１入力部分上に低抵抗膜が積層されていることを特徴とする表示パネル。
【請求項４】
請求項１乃至請求項３のいずれかに記載の表示パネルであって、
前記第１入力部分を２群に分け、
一方の群の前記第１入力部分は、前記封止部が形成される対辺のうちの一方の領域を引きまわし、他方の群の前記第１入力部分は、前記封止部が形成される対辺のうちの他方の領域を引きまわすことを特徴とする表示パネル。
【請求項５】
請求項１乃至請求項３のいずれかに記載の表示パネルであって、
前記第１入力部分を２群に分け、
一方の群の前記第１入力部分は、前記一方の基板上の前記封止部が形成される領域を引きまわし、他方の群の前記第１入力部分は、前記他方の基板上の前記封止部が形成される領域を引きまわすことを特徴とする表示パネル。
【請求項６】
請求項１乃至請求項３のいずれかに記載の表示パネルであって、
個々の前記第１入力部分は、前記一方の基板上の前記封止部が形成される領域と前記他方の基板上の前記封止部が形成される領域との２つの経路を引きまわされることを特徴とする表示パネル。
【請求項７】
請求項１又は請求項２記載の表示パネルであって、
前記第１入力部分は、引きまわす部分が長いほど線幅が太くなることを特徴とする表示パネル。
【請求項８】
請求項１乃至請求項７のいずれかに記載した表示パネルを、マトリックス状に配列して構成した大型表示装置。
【請求項９】
請求項８記載の大型表示装置であって、
第１入力部分及び第２入力部分が引き出される前記表示パネルの辺が、隣接する他の前記表示パネルに重なるように配列されたことを特徴とする大型表示装置。
【発明の詳細な説明】
【０００１】
【発明の属する技術分野】
本発明は、表示パネル及びこれを用いた大型表示装置に係る発明であって、特に、表示パネルをマトリックス状に配列した際に継ぎ目の短縮に関するものである。
【０００２】
【従来の技術】
当初、表示素子をマトリックス状に配列して構成する大型表示装置は、単色のＣＲＴ（Ｃａｔｈｏｄｅ  Ｒａｙ  Ｔｕｂｅ）をマトリックス状に配列して構成する方式が開発され実用化された。その後、複数の画素をもつ表示素子が開発され、解像度が飛躍的に改善された。最近では、ＣＲＴに代わりＬＥＤ（Ｌｉｇｈｔ  Ｅｍｉｔｔｉｎｇ  Ｄｉｏｄｅ）を配列する方式や表示パネルであるＬＣＤ（Ｌｉｑｕｉｄ  Ｃｒｙｓｔａｌ  Ｄｉｓｐｌａｙ）又はＰＤＰ（ＰｌａｓｍａＤｉｓｐｌａｙ  Ｐａｎｅｌ）を配列する方法が開発されている。これにより、大型表示装置は、さらに屋内用高解像度用途、屋外用超高輝度用途、軽量・薄型のビル壁面用途などの多様な用途に対応できるようになった。
【０００３】
ＣＲＴは、容器内部が高真空又は低圧のガスが封止された状態であるため、大気圧に対する強度や気密性を確保できるように容器封止部が厚く構成されている。また、ＣＲＴは、その構造上、軽量化・薄型化することは困難である。このため、マトリックス状にＣＲＴを配列すると、継ぎ目の幅が大きく目立つ大型表示装置となる。ＣＲＴを配列する方式では、構造上継ぎ目を小さくすることに限界がある点、表示素子の個々の重量が重く大型表示装置全体としてかなり重くなる点などの問題があった。
【０００４】
これに対しＬＥＤを配列する方式は、ＬＥＤが点光源に近く、平面基板上に高密度に配置することが可能であるため、高解像度の大型表示装置を構成することができる。しかし、ＬＥＤ素子を高密度に配列すると、解像度（素子の密度）の増加とともにコストが高くなる点が問題であった。
【０００５】
以上の問題点を解決する方式として、多数の画素が内在する表示パネル（ＬＣＤやＰＤＰなど）をマトリックス状に配列する方式がある。これは、表示パネルが、ＣＲＴに比べ重量が軽く、ＬＥＤに比べ画素あたりの単価が安いためである。そのため、大型表示装置としては、表示パネルをマトリックス状に配列する方式が有利である。
【０００６】
以下に、表示パネルをマトリックス状に配列して構成される大型表示装置について説明する。ＬＣＤやＰＤＰなどの表示パネルは、前面基板と裏面基板を有し，マトリックス状に配列された各画素を制御する電極及び配線が、前面基板と背面基板に設けられる。また、前面基板と裏面基板とで挟まれた空間は外部と遮断する必要があるため、前面基板と裏面基板の周辺部には、十分な幅の封止部が設けられている。さらに、画素を制御するための配線は、外部から信号等を供給する必要があるため封止部の外側へ引き出されている。
【０００７】
表示パネルをマトリックス状に配列して大型表示装置を構成するには、表示パネル間の継ぎ目を目立ちにくくする必要がある。しかし、前面基板と裏面基板との周辺部には、封止部や配線の引き出し部分があるため、表示パネル間の継ぎ目を目立ちにくくするのが困難である。特許文献１では、継ぎ目が目立たない高密度大型画面液晶表示装置の製造方法が開示されている。この製造方法では、切断技術に食刻法やレーザーによる方法等が示され、切断面の均一性を向上させる技術にレンズ加工に用いる超精密研磨法が示されている。
【０００８】
また、特許文献２に示されている例では、ガラス基板の代わりにフィルム基板を利用して、引き出された電極部分を表示パネルの端部で直角に折り曲げる構造が示されている。これにより、特許文献２では、引き出された電極部分の必要な隙間を短縮することができる。
【０００９】
【特許文献１】
特開平１０−９６９１１号公報（第５−８頁、第９−３４図）
【特許文献２】
特開平１０−１１１５１７号公報（第３−４頁、第１−４図）
【００１０】
【発明が解決しようとする課題】
表示パネルをマトリックス状に配列して大型表示装置を構成する場合、前面基板と裏面基板との周辺部に形成される封止部と封止部の外側に引き出されている配線部分により、隣接する表示パネルの継ぎ目が目立つ。例えば、封止部の幅をｇ１、表示パネル間の隙間をｇ２とすると、継ぎ目の幅Ｇは、少なくとも２×ｇ１＋ｇ２となる。ここで、表示パネル間の隙間ｇ２は、表示パネルから引き出された配線部分と配線が隣接する表示パネルに接触しないようするための隙間との合計である。そのため、この隙間は、配線が引き出される辺が隣接する表示パネルの辺と継ぎ合わせる際に、必要となる隙間である。
【００１１】
一般的に、行方向の配線は、表示パネルの右辺側から引き出され、列方向の配線は、表示パネルの下辺側から引き出される。そのため、横方向に表示パネルを継ぎ合わせる場合であっても、縦方向に表示パネルを継ぎ合わせる場合であっても、表示パネル間の隙間ｇ２が必要となり、表示パネルの継ぎ目を目立たせていた。この隙間を短縮するためには、配線が引き出される辺の数を少なくする必要がある。しかし、従来の技術で示した特許文献１又は特許文献２の例では、配線が引き出される辺の数を少なくする点については何ら示されていなかった。
【００１２】
また、２辺から配線を引き出す場合、大型表示装置を組み立て時に、隣接する表示パネルどうしが接触などして、配線にダメージを与えるなどの信頼性的な問題もあった。
【００１３】
そこで、本発明は、表示パネルをマトリックス状に配列した大型表示装置において、表示パネルの継ぎ目の幅（特に表示パネル間の隙間）を短縮することができる表示パネル及びこれを用いた大型表示装置を提供することを目的とする。
【００１４】
【課題を解決するための手段】
本発明に係る解決手段は、第１、第２方向にマトリックス状に配置された画素と、画素に接続された第１方向の第１配線と、画素に接続された第２方向の第２配線とを備える表示パネルであって、第１配線の第１入力部分は、表示パネルの封止部が形成される領域を引きまわして、第２配線の第２入力部分が引き出される表示パネルの辺から引き出される。
【００１５】
【発明の実施の形態】
以下、本発明をその実施の形態を示す図面に基づいて具体的に説明する。
【００１６】
（実施の形態１）
本実施の形態は、大型表示装置に使用される表示パネルの構造に関する発明である。この表示パネルには、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）やＥＬ（Ｅｌｅｃｔｒｏｌｕｍｉｎｅｓｃｅｎｃｅ）などが使用される。これら表示パネルの基本構造は共通する。図１に、一般的な表示パネルの構造の模式図を示す。横方向（行方向ともいう）の配線１は、前面基板２上に形成され、信号を入力する部分である入力部分３を備えている。縦方向（列方向ともいう）の配線４は、前面基板５上に形成され、信号を入力する部分である入力部分６を備えている。
【００１７】
この前面基板２と背面基板５とは、その間に表示層７を挟み、前面基板と背面基板の周囲を封止材で封止している。これにより、表示層（あるいは表示空間）７を外部から隔離することができる。そして、配線１，４は、画素電極に信号を供給して表示層７を駆動している。配線の入力部分３，６は、外部より信号を入力する必要があるため、封止部分より外側に引き出されている。なお、前面基板２と背面基板５とは、それぞれ配線１，４を形成された面が相対するように貼り合わせられている。表示層７は、例えばＬＣＤの場合は液晶が充填され、ＰＤＰの場合はほぼ真空に引かれた状態となる。
【００１８】
以上のように表示パネルには、マトリックス状に配置された画素を駆動するため、画素に接続された列方向及び行方向の２方向の配線１，４が必要となる。そのため、上記でも説明したように、表示パネルから引き出される入力部分３，６は、必ず表示パネルの２辺以上から引き出される。
【００１９】
本実施の形態の表示パネルの構造では、入力部分３，６が表示パネルの１辺から引き出される。その構造について、以下に説明する。図２に、本実施の形態に係る前面基板の平面図を示す。横方向の配線１は、前面基板２上に形成されている。一般的に、配線１の材料には、ＩＴＯ（Ｉｎｄｉｕｍ  Ｔｉｎ  Ｏｘｉｄｅ）が使用される。ＩＴＯを前面基板２上にスパッタ法などで成膜した後に、リソグラフィー技術によって所定の配線パターンに成形して配線１を形成する。配線１は、印刷法などにより直接配線パターンを形成する方法もある。配線１の入力部分３は、従来であれば前面基板２の右辺側（図２での方向を基準としている。以下、他の図についても同様である。）から引き出されていた。本実施の形態では、封止部が形成される領域８（封止領域８ともいう）に、入力部分３を引きまわして、前面基板２の下辺側から入力部分３を引き出している。ここで、封止部が形成される領域８（封止領域８）とは、表示パネルの非表示領域部分であって、封止材で背面基板５と張り合わされている前面基板２上の領域である。
【００２０】
図３に、本実施の形態に係る背面基板の平面図を示す。縦方向の配線４は、背面基板５上に形成されている。配線４の材料も一般的にＩＴＯが使用され、背面基板５上に形成されている。配線４の入力部分６は、従来と同じく背面基板５の下辺側から引き出される。表示パネルは、下辺側から入力部分３が引き出された前面基板２と下辺側から入力部分６が引き出された背面基板５とを単純に貼り合わせた構造でも良い。但し、図２及び図３で示した前面基板２及び背面基板５の構造は、これと異なっている。
【００２１】
図２に示す前面基板２では、下辺側まで引きまわされた入力部３が、背面基板５の下辺側から引き出される。そのため、図３に示す背面基板５上には、入力部３の一部が形成されており、前面基板２と背面基板５とが貼り合わさることにより電気的に接続する構造となっている。図２及び図３では、前面基板２上の入力部分３と背面基板５上の入力部分３とを電気的に接続させるため、封止部にそれぞれの入力部分３に対応するスルーホール９が設けられている。なお、背面基板５上には、入力部分３の一部が形成されるため、配線４の入力部分６は、下辺の左側部分を避けて下辺側から引き出すことが必要となる。ここで、前面基板２と背面基板５とは、張り合わされる関係にあるため、図３に示されている背面基板５の左辺は、図２に示されている前面基板２の右辺と対向することになる。図３に示す例では、入力部分６を下辺の中央部分に寄せて引き出している。
【００２２】
以上のような表示パネルの構造により、配線１，４の入力部分３，６を表示パネルの下辺側の１辺から引き出すことができる。これにより、従来、配線の入力部分３を引き出していた表示パネルの右辺側は、隣接する表示パネルと継ぎ合わせる際に生じていた表示パネル間の隙間を短縮することができる。また、配線１，４の入力部分３，６を引きまわす領域８は、従来の構造においても必要であった封止部分であるため、新たに配線の入力部分３，６を引きまわすための領域が不要である。その結果、本実施の形態の表示パネルをマトリックス状に配列して大型表示装置を構成しても、従来に大型表示装置に比べて表示パネルどうしの継ぎ目が目立たない大型表示装置を構成することができる。
【００２３】
なお、本実施の形態では、前面基板２に横方向の配線１、背面基板５に縦方向の配線４が設けられた場合について説明した。しかし、本発明はこれに限られず、前面基板２に縦方向の配線４、背面基板５に横方向の配線１が設けられた場合であっても、また、背面基板５に横方向の配線１と縦方向の配線４がともに設けられた場合などであっても良い。さらに、本実施の形態では、入力部分３が前面基板２の右辺側から下辺側へと引きまわしている。しかし、本発明はこれに限られず、入力部分３が前面基板２の左辺側から下辺側へ等引きまわしても良い。また、入力部分３，６を上辺側へ引きまわしても良い。さらに、本実施の形態では、封止領域８を引きまわす入力部分３が、前面基板２上に形成されている。しかし、本発明では、入力部分３が、従来ある封止部分を有効に利用して引きまわす点が重要であるため、入力部分３は、封止部内を引きまわす構造であっても良い。
【００２４】
（実施の形態２）
図４に、本実施の形態に係る前面基板の平面図を示す。図４に示す構造は、基本的な部分について図２に示した構造と同じである。そのため、以下では、異なる構造について説明する。配線１の入力部分３は、一般的にＩＴＯにより前面基板２上に形成されている。本実施の形態では、このＩＴＯの入力部分３上に低抵抗膜１０を積層した構造である。ここで、低抵抗膜１０の材料としては、Ａｌ（アルミニウム）、Ｃｒ（クロム）やＡｌ−Ｃｒなどが使用される。そして、この低抵抗膜１０は、スパッタ法などによって成膜され、リソグラフィー技術により所定の配線パターンとして形成される。
【００２５】
入力部分３は、前面基板２の下辺側まで引きまわすと、従来のように前面基板２の右辺側に引き出す場合に比べて、長い距離配線する必要がある。そのため、入力部分３の配線抵抗が大きくなり、画素を駆動するために入力された駆動パルスの波形が乱れて、表示品質に影響する場合が考えられる。そこで、本実施の形態では、入力部分３の配線抵抗を低くするために、ＩＴＯなどの配線に比べて低抵抗な配線材料（Ａｌ，Ｃｒ等）を入力部分３に積層する。
【００２６】
これにより、本実施の形態では、入力部分３の配線抵抗を低減することが可能となり、入力された駆動パルスの波形が乱れることなく、表示品質の高い映像を表示することができる。なお、本実施の形態の基本構造は、実施の形態１と同じであるため、実施の形態１で示した効果についても同様に得られる。
【００２７】
（実施の形態３）
図５に、本実施の形態に係る前面基板の平面図を示す。図５に示す構造は、基本的な部分について図２に示した構造と同じである。そのため、以下では、異なる構造について説明する。横方向の配線１は、一般的にＩＴＯにより前面基板２上に形成されている。実施の形態１では、配線１の入力部分３が、前面基板２の右辺側のみから引きまわされていた。しかし、本実施の形態では、偶数行目の配線１の入力部分３（以下、偶数入力部分３ｅともいう）は、前面基板２の右辺側から引きまわされ、奇数行目の配線１の入力部分３（以下、奇数入力部分３ｏともいう）は、前面基板２の左辺側から引きまわされている。なお、本実施の形態においても、入力部分３が引きまわされる領域は封止領域８である。
【００２８】
本実施の形態でも、前面基板２の下辺側まで引きまわされた入力部３は、背面基板５の下辺側から引き出される。そのため、背面基板５上には、入力部３の一部が形成されており、前面基板２と背面基板５とを貼り合わせることにより電気的に接続をさせている（図示せず）。前面基板２上の入力部分３と背面基板５上の入力部分３とを電気的に接続させるために、封止部にはそれぞれの入力部分３に対応してスルーホール９が設けられている。背面基板５に入力部分３の一部が形成されるため、配線４の入力部分６は、中央部分に寄せて下辺側から引き出す必要がある（図示せず）。
【００２９】
以上のような表示パネルの構造にすることにより、前面基板２の右辺側又は左辺側に引きまわされる入力部分３の本数が、実施の形態１の場合に比べて約２分の１となる。そのため、入力部分３の線幅を約２倍とすることが可能となる。入力部分３の線幅を太くできることにより、入力部分３の配線抵抗を低減することができる。よって、入力された駆動パルスの波形を乱すことなく、表示品質の高い映像が得られる。なお、本実施の形態の基本構造は、実施の形態１と同じであるため、実施の形態１で示した効果についても同様に得られる。ここで、入力部分３の線幅を太くしても、引きまわされる入力部分３の本数が少なくなっているため、実施の形態１と同じ大きさの封止領域８内に引きまわすことが可能である。
【００３０】
なお、本実施の形態では、偶数入力部分３ｅを、前面基板２の右辺側から引きまわし、奇数入力部分３ｏを、前面基板２の左辺側から引きまわしている。しかし、本発明は、右辺側から引きまわす入力部分３と左辺側から引きまわす入力部分３に分けて、それぞれの側の入力部分３の本数を減らすことが重要であるため、必ずしも偶数行、奇数行に分ける必要がない。本発明は、別のルールで入力部分３を２つに分け、それぞれの側から入力部分３を引きまわしても良い。また、実施の形態２で示した、低抵抗膜１０を入力部分３上に積層する構造と本実施の形態とを組み合わせても良い。
【００３１】
本実施の形態の変形例は、２つに分けた入力部分３を、前面基板２の右辺側と左辺側から引きまわすのではなく、前面基板２上と背面基板５上から引きまわす表示パネルである。図６に、本実施の形態の変形例に係る前面基板の平面図を示す。図６では、偶数入力部分３ｅを前面基板２の封止領域８を引きまわしている。奇数行目の配線１には、背面基板５に設けられる入力部分３と電気的に接続するためのスルーホール１１が設けられている。
【００３２】
図７に、本実施の形態の変形例に係る背面基板の平面図を示す。図７には、背面基板５上の封止部が形成される領域１２（封止領域１２ともいう）を引きまわされている奇数入力部分３ｏが図示されている。ここで、封止部が形成される領域１２（封止領域１２）とは、表示パネルの非表示領域部分であって、封止材で前面基板２と張り合わされている背面基板５上の領域である。なお、前面基板２と背面基板５とは、張り合わされる関係にあるため、図６に示されている背面基板５の左辺は、図７に示されている前面基板２の右辺と対向することになる。よって、図７では、奇数入力部分３ｏが、背面基板５の左辺側から引きまわされている。
【００３３】
最終的に、奇数入力部分３ｏは、背面基板５の下辺側からそのまま引き出されるが、偶数入力部分３ｅは、スルーホール９を介して背面基板５の下辺側から引き出される。以上のような表示パネルの構造であっても、前面基板２上又は背面基板５上を引きまわされる入力部分３の本数が、実施の形態１の場合に比べて２分の１となる。そのため、入力部分３の線幅を約２倍とすることが可能となる。入力部分３の線幅を太くできることにより、入力部分３の配線抵抗を低減することができる。よって、本変形例でも入力された駆動パルスの波形を乱すことなく、表示品質の高い映像が得られる。
【００３４】
（実施の形態４）
図８に、本実施の形態に係る前面基板の平面図を示す。図８は、基本的な部分について図２に示した構造と同じである。そのため、以下では、異なる構造について説明する。本実施の形態も実施の形態３と同様に、偶数入力部分３ｅは、前面基板２の右辺側から引きまわされ、奇数入力部分３ｏは、前面基板２の左辺側から引きまわされている。しかし、本実施の形態の入力部分３は、封止領域８のみ引きまわされているだけではなく、背面基板５上の封止領域１２にも引きまわされている。そのため、前面基板２上の入力部分３には、背面基板５上の入力部分３と電気的に接続するためのスルーホール１１が設けられている。
【００３５】
一方、図９に、本実施の形態に係る背面基板の平面図を示す。図９には、背面基板５上の封止領域１２を引きまわされている入力部分３が図示されている。前面基板２と背面基板５とは、張り合わされる関係にあるため、図９に示されている背面基板５の左辺は、図８に示されている前面基板２の右辺と対向することになる。よって、背面基板５上では、偶数入力部分３ｅが、背面基板５の左辺側から引きまわされ、奇数入力部分３ｏが、背面基板５の右辺側から引きまわされている。なお、図８及び図９では、入力部分３の引きまわしパターンが、前面基板２上と背面基板５上とで同じパターンで記載されている。しかし、本発明では、前面基板２上と背面基板５上とで異なった引きまわしパターンであっても良い。
【００３６】
図８に示す前面基板２でも、下辺側まで引きまわされた入力部３が、背面基板５の下辺側から引き出される。そのため、前面基板２上の入力部分３と背面基板５上の入力部分３とを電気的に接続させるスルーホール９が、それぞれの入力部分３に対応して封止部に設けられている。また、背面基板５上から入力部分３が引き出されるため、配線４の入力部分６は、中央部分に寄せて引き出されている。
【００３７】
以上のような表示パネルの構造にすることにより、個々の入力部分３が、前面基板２を引きまわされる入力部分３と背面基板５を引きまわされる入力部分３との２つの経路を有することになる。そのため、入力部分３の配線抵抗も減らせることができる。よって、入力された駆動パルスの波形を乱すことなく、表示品質の高い映像が得られる。なお、本実施の形態の基本構造は、実施の形態１と同じであるため、実施の形態１で示した効果についても同様に得られる。
【００３８】
なお、本実施の形態では、偶数入力部分３ｅを、前面基板２の右辺側から引きまわし、奇数入力部分３ｏを、前面基板２の左辺側から引きまわしている。しかし、本発明は、別のルールで入力部分３を２つに分け、それぞれの側から入力部分３を引きまわしても良い。また、実施の形態２で示した、低抵抗膜１０を入力部分３上に積層する構造と本実施の形態とを組み合わせても良い。
【００３９】
（実施の形態５）
図１０に、本実施の形態に係る前面基板の平面図を示す。図１０は、基本的な部分について図５に示した構造と同じである。そのため、以下では、異なる構造について説明する。本実施の形態では、入力部分３の線幅が引きまわす距離によりによって異なる。つまり、引きまわす距離が長い入力部分３は、線幅が太く、距離が短い入力部分３は、線幅が細くなっている。但し、入力部分３は、封止領域８を引きまわされるため、封止領域８により入力部分３の線幅の合計が制限されることになる。
【００４０】
以上のような表示パネルの構造にすることにより、引きまわす距離の差異から生じていた、個々の入力部分３における配線抵抗の差異を均一化することができる。そのため、個々の入力部分３によって異なっていた駆動パルス波形への影響が、均一化されることになる。よって、本実施の形態に係る表示パネルは、表示品質の高い映像が得られる。なお、本実施の形態の基本構造は、実施の形態１と同じであるため、実施の形態１で示した効果についても同様に得られる。
【００４１】
さらに、図１１に、本実施の形態の変形例に係る前面基板の平面図を示す。図１０では、入力部分３の線幅を太くする際に、１つの入力部分３の線幅は始点から終点まで同一の線幅であった。しかし、入力部分３の線幅は、必ず同一の線幅である必要はなく、必要に応じて線幅を変化させることができる。これにより、限られた封止領域８の幅を有効に利用して、入力部分３の配線抵抗を低減できる。図１１では、図１０の入力部分３の始点でのスペースを利用して、入力部分３の線幅を太くしている。
【００４２】
（実施の形態６）
図１２に、本実施の形態に係る大型表示装置の平面図を示す。図１２では、実施の形態１乃至実施の形態５のいずれかに記載した表示パネルを５行４列（計２０枚）配列した大型表示装置である。表示パネル２０の周囲は、封止部２１である。また、縦方向（上下方向ともいう）にタイリングされている表示パネルの継ぎ目には、表示パネル間の隙間２２が必要となる。ここで、図１３に、表示パネル２０をタイリングした際の継ぎ目の模式図を示す。表示パネル２０には、それぞれ封止部２１の幅ｇ１を有している。また、入力部分３，６を引き出している側には、引き出す部分及び入力部分３，６の保護のため、表示パネル間の隙間ｇ２を確保する必要がある。そのため、継ぎ目の幅Ｇは、ｇ１×２＋ｇ２となる。従来の大型表示装置では、縦方向のみならず横方向（左右方向ともいう）にタイリングする場合にも、表示パネル間の隙間ｇ２を含む継ぎ目の幅Ｇが必要となっていた。
【００４３】
しかし、本実施の形態では、下辺側にのみ入力部分３，６が引き出されている表示パネル２０をタイリングする。そのため、横方向にタイリングされる表示パネル２０の継ぎ目には、表示パネル間の隙間ｇ２は不要となり、継ぎ目の幅Ｇはｇ１×２となる。その結果、本実施の形態の大型表示装置は、従来に大型表示装置に比べて、横方向にタイリングされる表示パネルの継ぎ目の幅Ｇが短縮され、継ぎ目が目立たない大型表示装置を構成することができる。
【００４４】
なお、図１４に、本実施の形態に係る大型表示装置の構成の模式図を示す。ユニットには、実施の形態１乃至実施の形態５のいずれかに記載した表示パネルと駆動回路、画像メモリ、制御回路、電源などが組み込まれている。そして、このユニットが、マトリックス状に配列されることにより大型表示装置を構成している。この大型表示装置には、ビデオシステムやコンピュータシステムなどが接続されている。
【００４５】
また、図１５に、本実施の形態に係る大型表示装置の実施例を示す。図１５では、実施の形態１乃至実施の形態５のいずれかに記載した表示パネルを１行４列（計４枚）配列した大型表示装置である。この実施例では、表示パネルどうしの継ぎ目が目立たない部分のみタイリングしているので、高品位な表示を得ることが可能となる。
【００４６】
（実施の形態７）
図１６に、本実施の形態に係る大型表示装置の断面図を示す。図１６では、実施の形態１乃至実施の形態５のいずれかに記載した表示パネルを５行４列（計２０枚）配列した大型表示装置である。実施の形態６と異なる点は、下辺側に引き出されている入力部分３，６を下側にタイリングされる表示パネル２０で隠している点である。これにより、入力部分３，６の配線を傷めることなく、縦方向にタイリングした表示パネルの継ぎ目が目立たない大型表示装置を構成することができる。
【００４７】
図１７に、本実施の形態に係る大型表示装置の平面図を示す。図１７の大型表示装置は、図１２の大型表示装置に比べて、縦方向にタイリングされた表示パネル２０の継ぎ目が目立たなくなっていることがわかる。なお、本実施の形態のように表示パネル２０のタイリング方法を利用すると、図１６に示されているように、大型表示装置の表示面が平坦でなくなる問題がある。しかし、視聴者２３が、大型表示装置からある程度の距離であれば、表示面の平坦でないことによる画質への影響は無視することができ、良好な表示が得られる。
【００４８】
【発明の効果】
本発明に記載の表示パネルは、第１入力部分が、封止部が形成される領域を引きまわして、第２入力部分が引き出される表示パネルの辺から引き出されるので、隣接する表示パネルと継ぎ合わせる際に生じていた表示パネル間の隙間を短縮することができる。その結果、本発明の表示パネルをマトリックス状に配列して大型表示装置を構成した場合に、従来の大型表示装置に比べて表示パネルどうしの継ぎ目が目立たない大型表示装置を構成することができる。
【図面の簡単な説明】
【図１】一般的な表示パネルの構造を示す模式図である。
【図２】本発明の実施の形態１に係る前面基板の平面図である。
【図３】本発明の実施の形態１に係る背面基板の平面図である。
【図４】本発明の実施の形態２に係る前面基板の平面図である。
【図５】本発明の実施の形態３に係る前面基板の平面図である。
【図６】本発明の実施の形態３の変形例に係る前面基板の平面図である。
【図７】本発明の実施の形態３の変形例に係る背面基板の平面図である。
【図８】本発明の実施の形態４に係る前面基板の平面図である。
【図９】本発明の実施の形態４に係る背面基板の平面図である。
【図１０】本発明の実施の形態５に係る前面基板の平面図である。
【図１１】本発明の実施の形態５の変形例に係る前面基板の平面図である。
【図１２】本発明の実施の形態６に係る大型表示装置の平面図である。
【図１３】表示パネルをタイリングした際の継ぎ目の模式図である。
【図１４】本発明の実施の形態６に係る大型表示装置の構成の模式図である。
【図１５】本発明の実施の形態６に係る大型表示装置の実施例を示す平面図である。
【図１６】本発明の実施の形態７に係る大型表示装置の断面図である。
【図１７】本発明の実施の形態７に係る大型表示装置の平面図である。
【符号の説明】
１，４  配線、２  前面基板、３，６  入力部分、５  背面基板、７  表示層、８，１２  封止領域、９，１１  スルーホール、１０  低抵抗膜、２０  表示パネル、２１  封止部、２２  表示パネル間の隙間、２３  視聴者。
【図１】
2004177891.tif 000003
【図２】
2004177891.tif 000004
【図３】
2004177891.tif 000005
【図４】
2004177891.tif 000006
【図５】
2004177891.tif 000007
【図６】
2004177891.tif 000008
【図７】
2004177891.tif 000009
【図８】
2004177891.tif 000010
【図９】
2004177891.tif 000011
【図１０】
2004177891.tif 000012
【図１１】
2004177891.tif 000013
【図１２】
2004177891.tif 000014
【図１３】
2004177891.tif 000015
【図１４】
2004177891.tif 000016
【図１５】
2004177891.tif 000017
【図１６】
2004177891.tif 000018
【図１７】
2004177891.tif 000019